(57)【要約】      （修正有）【課題】角度調整機構のスタンド部が水平に近い角度になっても角度調整機構にかかる負担を軽減できるシンプルな構造のブラケットを提供する。【解決手段】取り付け面に取り付けられる基部と、前記基部に対して角度調整機構を介して角度調整可能に連結されたスタンド部とからなる取り付け手段に対して、表示部を備えた電子機器を取り付ける際に使用される電子機器取り付け用のＬ字型ブラケット３であって、前記電子機器に固定し得る固定部３１１と、所定の夾角を成して形成された第１面３１と第２面３２とを備えるとともに、前記第１面には前記スタンド部に取り付け得る第１の取り付け部３１２が形成され、前記第２面には前記スタンド部に取り付け得る第２の取り付け部３２１が形成され、前記第１の取り付け部もしくは前記第２の取り付け部の何れか一方の取り付け部を用いて、前記取り付け手段に対して前記電子機器を取り付け可能とする。【選択図】図３
2014044228.tif 000002
【特許請求の範囲】
【請求項１】
取り付け面に取り付けられる基部と、前記基部に対して角度調整機構を介して角度調整可能に連結されたスタンド部とからなる取り付け手段に対して、表示部を備えた電子機器を取り付ける際に使用される電子機器取り付け用のＬ字型ブラケットであって、
前記電子機器に固定し得る固定部と、所定の夾角を成して形成された第１面と第２面とを備えるとともに、
前記第１面には前記スタンド部に取り付け得る第１の取り付け部が形成され、
前記第２面には前記スタンド部に取り付け得る第２の取り付け部が形成され、
前記第１の取り付け部もしくは前記第２の取り付け部の何れか一方の取り付け部を用いて、前記取り付け手段に対して前記電子機器を取り付け可能としたことを特徴とする電子機器取り付け用のＬ字型ブラケット。
【請求項２】
前記第１面もしくは第２面の何れか一方の先端には、前記取り付け面に当接した際に前記電子機器の荷重の一部を支持する支持部を形成したことを特徴とする
請求項１に記載の電子機器取り付け用のＬ字型ブラケット。
【請求項３】
前記支持部には、前記取り付け面との当接面を覆う保護部材を備えたことを特徴とする請求項２に記載の電子機器取り付け用のＬ字型ブラケット。
【請求項４】
板状金属部材をＬ字型に曲成して前記第１面と前記第２面とを形成するとともに、
前記第１面には、前記固定部と前記第１の取り付け部を形成し、
前記第２面には、前記第２の取り付け部を形成したことを特徴とする
請求項１〜３の何れか１項に記載の電子機器取り付け用のＬ字型ブラケット。
【請求項５】
前記第１面と前記第２面で成す夾角は７０度〜９０度としたことを特徴とする
請求項１〜４の何れか１項に記載の電子機器取り付け用のＬ字型ブラケット。
【発明の詳細な説明】
【技術分野】
【０００１】
本発明は、表示部を備えた電子機器を、角度調整機構を備えた取り付け手段を介して取り付け面に取り付けるための取り付け構造に関するものである。
【背景技術】
【０００２】
車載用の無線機のコントローラ等のようにタッチパネル式の表示部を備えた電子機器を、車両のダッシュボード等の取り付け面に取り付ける際に使用する取り付け手段としては、ボールジョイント機構のような角度調整機構を備えた取り付け手段を使用することがあり、その際に、Ｌ字型ブラケットを介して電子機器を取り付け手段に取り付ける取り付け構造が特許文献１等に記載されている。
特許文献１に記載のボールジョイント機構を備えた取り付け手段は、取り付け面に取り付けられる基部と、電子機器が取り付けられるスタンド部とが、ボールジョイント機構によって角度調整可能に構成されたものである。
【０００３】
特許文献１に記載の取り付け構造で用いられているＬ字型ブラケットは、電子機器を取り付けるための第１面と、ボールジョイント機構を取り付けるための第２面とを備えている。
特許文献１に記載の取り付け構造では、電子機器はＬ字型ブラケットの前記第１面に取り付ける使用形態しか想定されていないため、電子機器の表示部の傾斜角度は、前記ボールジョイント機構の調整範囲に限定される。
そのため、取り付け面の角度によっては、電子機器の表示部が使用者に対して見にくい角度になったり、ボールジョイント機構のスタンド部が水平に近い角度になってボールジョイント機構に電子機器の重量と重心までの距離によるモーメントがかかり、負担が大きくなるという耐久性に対する問題がある。
【０００４】
特許文献２に記載の取り付け構造は、第１球体を備えた第１のボールジョイント機構と、第２球体を備えた第２のボールジョイント機構とからなる取り付け手段を備えている。
特許文献２に記載の取り付け構造で用いられる取り付け手段では、特許文献１に記載のものと比較して、２段構造のボールジョイント機構によって電子機器の表示部の傾斜角度の調整範囲は拡大されるが、取り付け面の角度と電子機器の表示面の傾斜角度によっては、ボールジョイント機構のスタンド部が水平に近い角度になってボールジョイント機構に電子機器の重量と重心までの距離によるモーメントがかかり、負担が大きくなるという耐久性に対する問題は解決されない。また、２段構造のボールジョイント機構は複雑な構造になりコストアップの問題もある。
【先行技術文献】
【特許文献】
【０００５】
【特許文献１】実用新案登録第３０４３９４８号公報
【特許文献２】特開２００８−８９０８８号公報
【発明の概要】
【発明が解決しようとする課題】
【０００６】
本発明は、電子機器の表示部の傾斜角度の調整範囲を拡大することが可能であるともに、角度調整機構のスタンド部が水平に近い角度になっても角度調整機構にかかる負担を軽減できるシンプルな構造のブラケットを提案することを課題として発明されたものである。
【課題を解決するための手段】
【０００７】
本発明の請求項１に係る電子機器取り付け用のＬ字型ブラケットは、
取り付け面に取り付けられる基部と、前記基部に対して角度調整機構を介して角度調整可能に連結されたスタンド部とからなる取り付け手段に対して、表示部を備えた電子機器を取り付ける際に使用されるＬ字型ブラケットであって、
前記電子機器に固定し得る固定部と、所定の夾角を成して形成された第１面と第２面とを備えるとともに、
前記第１面には前記スタンド部に取り付け得る第１の取り付け部が形成され、
前記第２面には前記スタンド部に取り付け得る第２の取り付け部が形成され、
前記第１の取り付け部もしくは前記第２の取り付け部の何れか一方の取り付け部を用いて、前記取り付け手段に対して前記電子機器を取り付け可能としたことを特徴としている。
【０００８】
請求項２では、
前記第１面もしくは第２面の何れか一方の先端には、前記取り付け面に当接した際に前記電子機器の荷重の一部を支持する支持部を形成した。
請求項３では、
前記支持部には、前記取り付け面との当接面を覆う保護部材を備えた。
請求項４では、
板状金属部材をＬ字型に曲成して前記第１面と前記第２面とを形成するとともに、
前記第１面には、前記固定部と前記第１の取り付け部を形成し、
前記第２面には、前記第２の取り付け部を形成した。
請求項５では、
前記第１面と前記第２面で成す夾角は７０度〜９０度とした。
【発明の効果】
【０００９】
本発明に係る電子機器取り付け用のＬ字型ブラケットによれば、
固定部を用いて電子機器に固定し得るとともに、所定の夾角を成して形成された第１面と第２面とを備え、
前記第１面には前記スタンド部に取り付け得る第１の取り付け部が形成され、
前記第２面には前記スタンド部に取り付け得る第２の取り付け部が形成されているので、
前記第１の取り付け部を用いて、前記取り付け手段に対して前記電子機器を取り付けた第１の使用形態と、
前記第２の取り付け部を用いて、前記取り付け手段に対して前記電子機器を取り付けた第２の使用形態の、２通りの使用形態で取り付けることが可能であるので、
シンプルな構造で電子機器の表示部の傾斜角度の調整範囲を拡大することが可能である。
また、
前記第１面もしくは第２面の何れか一方の先端には、前記取り付け面に当接した際に前記電子機器の荷重の一部を支持する支持部を形成することにより、
角度調整機構のスタンド部が水平に近い角度になっても角度調整機構にかかる負担を軽減できる。
【図面の簡単な説明】
【００１０】
【図１】本発明に係る電子機器取り付け用のＬ字型ブラケットの使用状態（第１の使用形態）の側面図である。
【図２】本発明の電子機器取り付け用Ｌ字型ブラケットと共に使用する取り付け手段と、電子機器の斜視図である。
【図３】本発明に係る電子機器取り付け用のＬ字型ブラケットの斜視図である。
【図４】前記電子機器取り付け用のＬ字型ブラケットの側面図である。
【図５】前記電子機器取り付け用のＬ字型ブラケットの断面図（図３のX-X線断面図）である。
【図６】前記電子機器取り付け用のＬ字型ブラケットの第１面の正面図である。
【図７】前記電子機器取り付け用のＬ字型ブラケットの第２面の正面図である。
【図８】本発明に係る電子機器取り付け用のＬ字型ブラケットの使用状態（第２の使用形態）の側面図である。
【発明を実施するための形態】
【００１１】
以下に、本発明に係る電子機器取り付け用のＬ字型ブラケットを実施するための形態を、図面を参照して説明する。
図１において、
１は、自動車のダッシュボード等の取り付け面１０に取り付けられる基部１１と、前記基部１１に対して角度調整機構１３を介して角度調整可能に連結されたスタンド部１２とからなる取り付け手段である。
２は電子機器であり、例えば、傾斜したタッチパネル式の表示部２１を備えている車載用の無線機のコントローラである。
３は、本発明に係る電子機器取り付け用のＬ字型ブラケットであって、前記電子機器２を前記取り付け手段１を用いて前記取り付け面１０に取り付ける際に使用する。
【００１２】
前記取り付け手段１は、図２の（Ａ）に示したように、
ボールジョイント機構による角度調整機構１３を備えている。前記基部１１は、例えば吸盤式もしくは磁気吸着式の基部であり、前記取り付け面１０に吸着して取り付けるように構成されている。
図２の（Ａ）に示した例は、吸盤式の基部１１であり、吸着レバー１４を操作して取り付け面１０に吸着させることができる。
前記スタンド部１２の先端には、２重ナットを備えた取り付けねじ１２１を備えている
【００１３】
図２の（Ｂ）に示したように、前記電子機器２の前面には前記表示部２１が配設され、前記電子機器２の底面には、前記取り付け手段１の前記スタンド部１２、もしくは、前記電子機器取り付け用のＬ字型ブラケット３を固定するための機器側固定部２２が形成されている。
本発明においては、前記機器側固定部２２には前記Ｌ字型ブラケット３を取り付けるが、前記電子機器取り付け用のＬ字型ブラケット３を使用しない場合には、前記機器側固定部２２に前記取り付け手段１のスタンド部１２を直接取り付けることができる。
【実施例１】
【００１４】
次に、前記電子機器取り付け用のＬ字型ブラケット３の実施例を、図１〜７を参照して詳細に説明する。
図１〜７に示したように、
前記電子機器取り付け用のＬ字型ブラケット３は、
板状金属部材をＬ字型に曲成して前記第１面３１と前記第２面３２とを形成した。また、前記第１面３１と前記第２面３２の縁は強度を増すために折り曲げてリブ３３を形成した。
前記第１面３１には、
前記電子機器２の前記機器側固定部２２に固定するための固定部３１１と、前記スタンド部１２の先端に取り付け得る第１の取り付け部３１２を形成し、
前記第２面３２には、前記スタンド部１２の先端に取り付け得る第２の取り付け部３２１を形成した。
また、前記電子機器２の底面が前記スタンド部１２の先端と干渉しないように、前記第１面３１を前記第２面側に落ち込ませて形成された凹部３１３の底面に、前記第１の取り付け部３１２が、一方が開口した長孔状に形成されている。
前記第２の取り付け部３２１は、大径部と小径部とが連結された孔状に形成され、何れの取り付け部においても、前記取り付けねじ１２１の頭部を差し込んで前記取り付け部の孔の縁を前記頭部と前記取り付けねじ１２１で挟んで締めつけることによって取り付けられる構造を備えている。また、２重ナットによって取り付け部の締めつけが緩むことを防止するように構成されている。
なお、前記第１面３１と前記第２面は板状の部材で形成したが、板状の部材に限らず、角柱状の部材の隣り合う２面で形成してもよい。
【００１５】
前記第１面３１と前記第２面３２で成す夾角θは７０度〜９０度とした。
前記第２面３２の先端には、前記取り付け面１０に当接した際に前記電子機器２の荷重の一部を支持する支持部３２２を形成し、
前記支持部３２２の先端には、前記取り付け面１０との当接面を覆って前記取り付け面１０が傷付くことを防止するための例えばゴム製や軟質樹脂製の保護部材４を被せた。
前記支持部３２２は、荷重を安定して支持するためや、荷重を分散させるために、２股状に形成されている。
【００１６】
次に、図１〜７を参照して、以上の構成の電子機器取り付け用のＬ字型ブラケット３を用いた第１の使用形態を説明する。
第１の使用形態は、前記取り付け手段１の前記スタンド部１２の先端の前記取り付けねじ１２１を、前記電子機器取り付け用のＬ字型ブラケット３の第１の取り付け部３１２に取り付けて、図１に示したように前記電子機器２を取り付けて使用する形態である。
このような第１の使用形態では、前記スタンド部１２がほぼ垂直な状態もしくは前後に僅かに傾斜した状態で使用する形態であり、前記角度調整機構１３によって前記電子機器２の表示部２１は僅かに上向きに傾斜した状態に調整でき、使用者が視認しやすく、また、タッチパネルを操作しやすい状態に調節することが容易である。またこの使用形態では、前記表示部２１は前記取り付け面１０に対して比較的高い位置になっている。
【００１７】
次に、図２〜８を参照して、以上の構成の電子機器取り付け用のＬ字型ブラケット３を用いた第２の使用形態を説明する。
第２の使用形態は、前記取り付け手段１の前記スタンド部１２の先端の前記取り付けねじ１２１を、前記電子機器取り付け用のＬ字型ブラケット３の第２の取り付け部３２１に取り付けて、図８に示したように、前記スタンド部１２をほぼ水平近くに寝かした状態で使用する形態である。
このような第２の使用形態では、前記スタンド部１２がほぼ水平な状態もしくは上下に僅かに傾斜した状態で使用する形態であり、前記角度調整機構１３によって前記スタンド部１２を寝かした状態に調整でき、この状態では、前記スタンド部１２を寝かした状態であるにもかかわらず、前記電子機器２の表示部２１は僅かに上向きに傾斜した状態となり、使用者が視認しやすく、また、タッチパネルを操作しやすい状態に調節することが容易である。またこの使用形態では、前記表示部２１は前記取り付け面１０に対して比較的低い位置になっている。
【００１８】
また、第２の使用形態では、前記スタンド部１２がほぼ水平近い状態となるので、前記角度調整機構１３には、前記電子機器２の荷重と前記電子機器取り付け用のＬ字型ブラケット３の荷重による大きなモーメントが作用することになるので、従来のようなボールジョイント機構だけではボールジョイント機構に大きな負担をかけるという問題が発生するが、前記第２面３２の先端には前記支持部３２２が形成されているので、前記支持部３２２が前記取り付け面１０に当接して、前記電子機器２と前記電子機器取り付け用のＬ字型ブラケット３によるモーメントの一部を支持する。したがって、前記角度調整機構１２のボールジョイント機構に対する負荷を軽減でき、耐久性に対する問題を解決することができる。
さらに、前記支持部３２２の先端には、ゴム製や軟質樹脂製の保護部材４を被せたので、前記支持部３２２の先端が前記取り付け面１０に当接して、その取り付け面１０が傷付くことを防止することができる。
前記第２の使用形態でも、前記電子機器２の機器側固定部２２と、前記電子機器取り付け用のＬ字型ブラケット３の固定部３１１は固定ビス等を用いて固定されており、第１の取り付け部３１２は使用されていない。
【００１９】
以上のように、本発明の電子機器取り付け用のＬ字型ブラケット３を使用することにより、前記角度調整機構１３のスタンド部１２をほぼ垂直にして使用する第１の使用形態と、前記角度調整機構１３のスタンド部１２をほぼ寝かして使用する第２の使用形態の、２つの使用形態が可能になり、何れの使用形態においても、前記角度調整機構１３を用いて前記電子機器２の表示部２１を、使用者が見やすい角度に調整することが容易にできる。
さらに、前記角度調整機構１３のスタンド部１２をほぼ寝かして使用する第２の使用形態において、前記取り付け面１０に当接し得る前記支持部３２２を備えているので、前記スタンド部１２をほぼ寝かして使用する際にも前記角度調整機構１２のボールジョイント機構に対する負荷を軽減できる。
【００２０】
なお、前記電子機器の機器側固定部２２は、前記電子機器の底面に限らず、背面等の他の面に形成されていてもよい。
また、前記電子機器取り付け用のＬ字型ブラケット３の材質は、金属板に限らず、十分な機械的強度を備えていればよい。
前記角度調整機構１３は、ボールジョイント機構による角度調整機構に限らず、角度を調整することが可能であれば、他の構造を採用することができる。
【産業上の利用可能性】
【００２１】
本発明に係る電子機器取り付け用のＬ字型ブラケットは、電子機器に限らず種々の機器を、２つの使用形態で使用するために取り付ける種々の用途にも適用できる。
【符号の説明】
【００２２】
1      取り付け手段
11     基部
12     スタンド部
121    取り付けねじ
13     角度調整機構
2      電子機器
21     表示部
22     機器側固定部
3      電子機器取り付け用のＬ字型ブラケット
31     第１面
311    固定部
312    第１の取り付け部
313    凹部
32     第２面
321    第２の取り付け部
322    支持部
33      リブ
4      保護部材
10     取り付け面
θ     夾角
【図１】
2014044228.tif 000003
【図２】
2014044228.tif 000004
【図３】
2014044228.tif 000005
【図４】
2014044228.tif 000006
【図５】
2014044228.tif 000007
【図６】
2014044228.tif 000008
【図７】
2014044228.tif 000009
【図８】
2014044228.tif 000010